(57)【要約】      （修正有）【課題】集塵袋を装着する電気掃除機に使用ができ、塵や埃、家ダニの死骸以外に生きているゴキブリや家ダニも収集できるゴミ紙パックを提供する。【解決手段】厚紙等で形成された円形の開口部３を有する支持板６の背面に、円周部の直径が支持板の開口部３より若干大きく、かつ円周部の中央上部外側を切り欠き、凹部９を配する開口部４を有し、更に支持板の開口部３より若干大きく、開口部４より若干小さく、同形状に形成された開閉蓋部１０を一体にした台紙７が凹部を上方にして、支持板の開口部と中心を略一致させて固着されている。更に、台紙の背面に通気性を有する紙等の濾材からなり、一壁面に円形の開口部を配した袋状体２が開口部を連通するように固着し、形成されている。切り欠きの凹部の底面と開閉蓋部の凸部の上面が接合してヒンジ部を形成し、電気掃除機の吸引時に開閉蓋部が開き、停止時に閉じるようになっている。【選択図】図１
0003195782.tif 000002
【実用新案登録請求の範囲】
【請求項１】
厚紙等で形成された円形の開口部を有する支持板の背面に、開口部の円周部の直径が支持板の開口部より若干大きく、かつ円周部の中央上部外側を切り欠き、凹部を配する開口部を有し、更に支持板の開口部より若干大きく、該円周部より若干小さく、同形状に形成された開閉蓋部を一体にした台紙が凹部を上方にして、支持板の開口部と該円周部の中心を略一致させて固着されている。更に、台紙の背面に通気性を有する紙等の濾材からなり、一壁面に円形の開口部を配した袋状体が開口部を該円周部に略一致させ、連通するように固着し、形成されていることを特徴とするゴミ紙パック。
【請求項２】
請求項１記載のゴミ紙パックであって、台紙の開口部の上部に設けられた切り欠きの凹部の底面と開閉蓋部の凸部の上面が接合してヒンジ部を形成し、開閉蓋部が支持板の背面で閉状態となり、袋状体の方向へ開く手段を設けていることを特徴とするゴミ紙パック。
【請求項３】
請求項１又は２記載のゴミ紙パックであって、台紙に設けられた開口部の円周部の直径が支持板の開口部の直径より若干大きくなっていることを特徴とするゴミ紙パック。
【請求項４】
請求項１、２又は３記載のゴミ紙パックであって、弾性プラスチック等で形成された板バネが台紙背面の上部中央に開閉蓋部の凸部にまたがるよう配置され、固着されている。更に、弾性体で形成された糸ゴム等の一方の端が開閉蓋部の中心に固着し、他端を支持板の上部中央に固着して、開閉蓋部を支持板の背面に圧接させていることを特徴とするゴミ紙パック。
【考案の詳細な説明】
【技術分野】
【０００１】  本考案は、電気掃除機用ゴミ紙パックに関し、更に詳しくは開閉蓋部を有する電気掃除機用ゴミ紙パックに関するものである。
【背景技術】
【０００２】  従来、市場に出ているこの種の集塵袋は、図６、図７及び図８に示されるように、立方体、或は直方体の形状で、一壁面に開口部▲５▼を有する袋状体▲２▼と電気掃除機に装着するため、袋状体の開口部▲５▼に連通するように開口部▲３▼を設けた支持体▲６▼から成り、開口部は開放されている。また、開閉蓋部を有する集塵袋については、支持体の前面に摺道自在に動く遮蔽板を設けたものや袋状体の一部が集塵孔に対応する位置の内側に弾性のある蓋体を設けた形成となっている。【０００３】  しかしながら、これらの集塵袋の蓋部は、特開平７−１０００８６号広報に於いてその図３及び図４に示すように支持板の前面に摺道自在に動く遮蔽板を設けて吸込み口を遮断するもので、集塵袋を電気掃除機から取出す際にゴミの飛散を防止する目的のものである。また、電気掃除機の吸引時に蓋部が開き、停止時に蓋部が閉まる機能を有した集塵袋は、実開平２−１２３４６号広報に於いてその図２及び図４に示すように袋本体の一部に不還機能弁を設けたもので、材質が袋本体と同一材料を使用しているため、蓋が軟弱であり、集塵袋を取り出す時の飛散防止用蓋部としては有効であるが、生きているゴキブリや家ダニなどの小生物を捕獲し、ゴミ収集室から逃げ出さないようにする蓋部としては強度と気密性に欠点がある。特開平８−１９１７８３号広報は、実開平２−１２３４６号広報を特開としたものである。
【先行技術文献】
【特許文献】
【０００４】
【特許文献１】特開平７−１０００８６号広報
【特許文献２】実開平２−１２３４６号広報
【特許文献３】特開平８−１９１７８３号広報
【考案の概要】
【考案が解決しようとする課題】
【０００５】  本考案は、以上のような従来の欠点に鑑み、支持板の背面に開閉蓋部を一体に設けた台紙を配し、塵や埃だけの収集でなく、生きているゴキブリや家ダニなどの小生物も対象としたゴミ紙パックを提供する事を目的としている。【０００６】  また、開閉蓋部が電気掃除機の吸引時に開き、停止時に閉じる機能を持ったゴミ紙パックを提供する事を目的としている。【０００７】  更に、袋状体に捕獲したゴキブリや家ダニなどの小生物が支持板の開口部から逃げ出さないように頑丈で気密性の高いゴミ紙パックを提供する事を目的としている。
【課題を解決するための手段】
【０００８】  本考案は、上記の課題を解決するため、次のような技術的手段を採る。
即ち本考案は、図１、図２、図３、図４及び図５に示されるように、厚紙等で形成され、上下左右の中央に設けられた円形の開口部Ａ▲３▼を有する支持板▲６▼の背面に、円形に形成された開口部の円周部▲８▼の中央上部外側を切り欠き、凹部▲９▼を設けた開口部Ｂ▲４▼を有し、かつ開口部Ｂ▲４▼と同形状で若干小さく形成された開閉蓋部▲１０▼を一体に設けた台紙▲７▼の開口部Ｂ▲４▼を開口部Ａ▲３▼に略合致させて、凹部▲９▼が上方にくるように配し、固着してある。更に、通気性を有する紙等の濾材からなり、一壁面に開口部Ｃ▲５▼を有する袋状体▲２▼が開口部Ａ▲３▼と開口部Ｂ▲４▼に開口部を一連に連通させて、台紙の背面に固着して形成する。
（請求項１）【０００９】  請求項１記載の本考案は、図２及び図３に示されるように、台紙▲７▼の開口部Ｂ▲４▼の円周部▲８▼上部中央に設けられた切り欠きの凹部▲９▼の底面と開閉蓋部▲１０▼の凸部▲１１▼の上面が接合してヒンジ部▲１２▼を形成し、吸引時に開閉蓋部▲１０▼が袋状体▲２▼の方向へ開き、停止時に支持板▲６▼の背面に閉状態となる手段を設けている。（請求項２）【００１０】  請求項１又は２記載の本考案は、図２、図３、図４及び図５に示されるように、開閉蓋部▲１０▼を支持板▲６▼の背面で停止させるため、台紙▲７▼に設けられた開口部Ｂ▲４▼の円周部▲８▼の直径を支持板▲６▼の開口部Ａ▲３▼の直径より若干大きくしている。（請求項３）【００１１】  請求項１、２又は３記載の本考案は、図２、図３、図４及び図５に示されるように、電気掃除機の吸引時はモーターの吸引力によって開閉蓋部▲１０▼は開かれた状態になるが、停止すると開閉蓋部▲１０▼の重量だけでは開閉蓋部▲１０▼が支持板▲６▼の背面に隙間なく密着して停止しない。そのため、バネ復帰作用を用いて弾性プラスチック等で形成された板バネ▲１４▼を台紙▲７▼のヒンジ部▲１２▼を固着した粘着性テープ▲１３▼の上で、開閉蓋部▲１０▼の凸部▲１１▼にまたがるよう配置して、接着剤或は留め具などで固着する。更に、弾性体で形成された糸ゴム▲２０▼等の一方の端が支持板▲６▼の上部中央に設けた糸ゴム通し穴Ａ▲１５▼を通し、更に糸ゴム固定切込Ａ▲１８▼で固定、他端を開閉蓋部▲１０▼の円心にある糸ゴム通し穴Ｂ▲１６▼を通過させ、更にその上部中央に設けた糸ゴム通し穴Ｃ▲１７▼を通し、糸ゴム通し穴Ｃ▲１７▼に連結して下部に設けられた糸ゴム固定切込Ｂ▲１９▼で固定する。ゴムの収縮作用により開閉蓋部▲１０▼を支持板▲６▼の背面に強制的に戻して、確実かつ隙間なく密着して停止する手段を設けている。（請求項４）
【考案の効果】
【００１２】  本考案は、前記構成により、開閉蓋部を所定位置である支持板の背面に強制的に戻して密着させるので、ゴミ紙パックを密閉状態に保持できる。従って、電気掃除機で通常の塵や埃などの微粒子の収集以外に生きているゴキブリや家ダニなどの生物もゴミ紙パックに捕獲し、保持する事ができる。また、ゴミ紙パックの開閉蓋部が閉まった状態で取出すことができ、塵や埃が舞い散ることもないので、衛生的に廃棄できる。
【図面の簡単な説明】
【００１３】
【図１】例を示した電気掃除機用ゴミ紙パックの斜視図である．
【図２】同上ゴミ紙パックの使用例を説明するための閉蓋状態のＡ−Ａ″線に沿った断面図である。
【図３】同上ゴミ紙パックの使用例を説明するための開蓋状態のＡ−Ａ″線に沿った断面図である。
【図４】同上ゴミ紙パックの支持体と台紙を説明するための背面図である。
【図５】同上ゴミ紙パックの支持体と台紙を説明するための分解斜視図である。
【図６】従来例を示す斜視図である。
【図７】従来例を示すＢ−Ｂ″線に沿った断面図である。
【図８】袋状体を説明するための斜視図である。
【考案を実施すための形態】
【００１４】  以下、本考案の一実施形態を添付図面に沿って説明する。
本考案のゴミ紙パックは、集塵袋を搭載する電気掃除機の機種に限って、通常の方法で装着することができる。
【００１５】  本考案のゴミ紙パックを電気掃除機の所定の場所に所定の装着方法で電気掃除機本体に支持板▲６▼を固定する。装着後は、電気掃除機の使用方法に則り操作を開始できる。集塵ホースを電気掃除機本体の取付け口に差し込み、スイッチを入れると図３で示すようにゴミ紙パックの台紙▲７▼の開閉蓋部▲１０▼が開き、集塵ホースの吸入口からゴミの吸引を始め、停止すると図２で示すように自動的に開閉蓋部▲１０▼が閉まる。
【００１６】  次に本考案の使用例を説明する。
使用者は、従来の電気掃除機の使用方法でゴミ紙パックの支持板▲６▼を所定の場所に固定し、電気掃除機の集塵ホースを掃除機本体に装着して、塵や埃を収集する通常の清掃作業を行なえる。そして、夏場に大小ゴキブリが増殖して出現したらゴミ紙パックを交換することなく、引き続きゴキブリの捕獲をすることできる。
台所などの広い場所で使用する時は、集塵ホースの吸込み口に付属ノズルを装着しないでゴキブリを捕獲できるが、狭い場所に居るゴキブリは、狭い場所用付属ノズルを装着して大小ゴキブリを簡単に捕獲し、保持できる。
【００１７】  捕獲したゴキブリや家ダニは、ゴミ紙パックの中で生存状態にありますが、開閉蓋部▲１０▼が支持板▲６▼の背面に確実に密着して閉状態のため、逃げ出すことができない。また、再度電気掃除機を使用しても吸気状態になるので、吸入口から逃げ出すことはない。ゴミ紙パックの取外しは、電気掃除機の使用方法に記載されている方法で取外して、廃棄できる。
【００１８】  袋状体▲２▼の中で生存するゴキブリや家ダニの殺虫方法は、細い管状の噴射ノズルが付いているタイプの殺虫剤を使用して、殺虫剤容器に噴射ノズルを装着し、電気掃除機の集塵ホースを掃除機本体から外し、殺虫剤の噴射ノズルの先端を集塵ホースの挿入口から差し込み、ゴミ紙パックの開閉蓋部▲１０▼に挿し込み、隙間を少し開けて、噴射ノズルの先端が殺虫剤を噴射する。噴射後はそのノズルを引き出すと開閉蓋部▲１０▼は自動的に閉まり、ゴミ紙パック室内は殺虫剤で満たされてゴキブリが死滅する。また、ゴミ紙パックがゴミで充満して取出す時点で行うことができるが、そのまま廃棄することもできる。
【産業上の利用可能性】
【００１９】  旧いマンションや一戸建て住宅、小さな店舗の飲食店には、大小のゴキブリや家ダニが多く住みついている。夏場はゴキブリの繁殖力は旺盛で、次々卵を生み、成長し、すぐに増殖してしまう。特に、食品保存場所、台所や調理場ではゴキブリが多く出現するので、殺虫剤の使用を余儀なくされているが、台所や調理場では食品の調理を行う場所であり、殺虫剤に含まれる毒素をまき散らすことになるので、二次被害を懸念、使用後の洗浄作業が必要になる。現在までのところ、殺虫剤の散布以外に有効な手段がなく、大量に増殖した大小ゴキブリの捕獲方法が見当たらない。
住居や店舗に於ける電気掃除機の使用目的は、塵や埃、家ダニの死骸を収集して、周囲環境を衛生的に保つことにある。最近では、電気掃除機も専用化が進み、布団やベッドなどの塵や埃以外に住みつく家ダニの捕獲専用の掃除機が市販されると同時に集塵袋を持たない機種が市場で多く出回わり始めている。しかし、集塵袋を装着する電気掃除機はまだまだ一般家庭や小店舗で多く使われており、本考案の電気掃除機用ゴミ紙パックを使用すれば、従来の対象物である塵や埃以外に生きているゴキブリや家ダニも捕獲する事が出来るので、電気掃除機の使用対象物を広げることにもなる。また、ゴキブリや家ダニの駆除を簡単に行えれば、非常に衛生的に生活環境を維持することができる。
また、ゴミ紙パックの製作材料が紙という安価なものを使用しているため、製造コストを低減できる。
【符号の説明】
【００２０】▲１▼  ゴミ紙パック
▲２▼  袋状体
▲３▼  開口部Ａ
▲４▼  開口部Ｂ
▲５▼  開口部Ｃ
▲６▼  支持板
▲７▼  台紙
▲８▼  円周部
▲９▼  凹部
▲１０▼  開閉蓋部
▲１１▼  凸部
▲１２▼  ヒンジ部
▲１３▼  粘着性テープ
▲１４▼  板バネ
▲１５▼  糸ゴム通し穴Ａ
▲１６▼  糸ゴム通し穴Ｂ
▲１７▼  糸ゴム通し穴Ｃ
▲１８▼  糸ゴム固定切込Ａ
▲１９▼  糸ゴム固定切込Ｂ
▲２０▼  糸ゴム
【図１】
0003195782.tif 000003
【図２】
0003195782.tif 000004
【図３】
0003195782.tif 000005
【図４】
0003195782.tif 000006
【図５】
0003195782.tif 000007
【図６】
0003195782.tif 000008
【図７】
0003195782.tif 000009
【図８】
0003195782.tif 000010